(57)【要約】  【課題】  軽量で、いつもバックに入れて持ち運びに便利であり且つ、何度でも使用することができることから経済的であり、さらに意匠性にも優れた多目的クロスシートを提供する。【解決手段】  四角形状の生地の裏面の一つの角部には、三角形状の防水加工が施された袋状部１１が設けられている。この袋状部１１は、雨が降った時に使用したり、その他の使用方法により、多目的クロスシート１０の表面に水滴が付いたり汚れた場合に、生地を折り畳んで入れることによって、水滴や汚れを袋状部１１及び畳んだ内部に収容することができる。【選択図】図１
0003147649.tif 000002
【実用新案登録請求の範囲】
【請求項１】
少なくとも防水又は撥水又はＵＶ加工のいずれか一つが施された四角形状の生地の一つの角部に、開口を有する三角形状の防水加工が施された袋状部を設け、該袋状部に、前記四角形状の生地を収納することができることを特徴とする多目的クロスシート。
【請求項２】
袋状部の開口の一辺には、１本のひもが内挿されており、該１本のひもを両端から引っ張ることによって、前記開口が閉じることを特徴とする請求項１に記載の多目的クロスシート。
【請求項３】
袋状部の開口の一辺には、一端が固定された２本のひもが内挿されており、該２本のひもの他端を各々引っ張ることによって、前記開口が閉じることを特徴とする請求項１に記載の多目的クロスシート。
【請求項４】
袋状部と、多目的クロスシートの裏面の所定の位置とに、面ファスナー又はホックが縫い付けてあり、該面ファスナー又はホックにて前記袋状部の開口が閉じることを特徴とする請求項１に記載の多目的クロスシート。
【請求項５】
四角形状の生地の四辺には飾り柄部が設けられていることを特徴とする請求項１〜５のいずれか１項に記載の多目的クロスシート。
【考案の詳細な説明】
【技術分野】
【０００１】
本考案は、雨よけ、日よけ、スカーフ、テーブルクロス、風呂敷、レジャーシート等の多目的に使用することができる防水又は撥水又はＵＶ加工が施されたクロスシートに関するものである。
【背景技術】
【０００２】
従来から、防水加工を施した四角形状のひざかけの一辺に係止具を設け、このひざかけに刺繍を施したものは知られている（特許文献１参照）。
【０００３】
また、携帯用の雨よけシートとして、シートの端側が粘着テープとなっていて、服やズボンなどに貼り付けたり、巻き付けたりすることで、傘をさしている時に濡れたりする足もとや服の必要な部分だけを雨から防ぐことができるものも知られている（特許文献２参照）。
【特許文献１】特開２００７―３０８８５１号公報
【特許文献２】特開２０００−２４８４０５号公報
【考案の開示】
【考案が解決しようとする課題】
【０００４】
しかしながら、上記特許文献１に記載されたひざかけでは、雨が止んだ後に、畳んでカバンなどに入れて持ち運びする時に、ひざかけに残った水滴がカバンの中を濡らしてしまう可能性があるので、畳む前に、ひざかけに付いた水滴を十分に取り除く必要があった。
【０００５】
また、上記特許文献２に記載された携帯用の雨よけシートでは、粘着テープの粘着力が落ちてくることから、使い捨てで使用されるものであり、毎回、多数の雨よけシートを必要とすることから経済的ではなかった。
【０００６】
本考案は、上記課題を解決すると共に、軽量で、いつもバックに入れて持ち運びに便利であり且つ、何度でも使用することができることから経済的であり、さらに意匠性にも優れた多目的クロスシートを提供することを目的とする。
【課題を解決するための手段】
【０００７】
上記課題を解決するため、請求項１に記載の多目的クロスシートは、防水又は撥水又はＵＶ加工が施された四角形状の生地の一つの角部に、開口を有する三角形状の防水加工が施された袋状部を設け、該袋状部に、前記四角形状の生地を収納することができることに特徴を有する。
【０００８】
また、請求項２に記載の考案は、請求項１の多目的クロスシートにおいて、袋状部の開口の一辺には、１本のひもが内挿されており、該１本のひもを両端から引っ張ることによって、前記開口が閉じることに特徴を有する。
【０００９】
また、請求項３に記載の考案は、請求項１の多目的クロスシートにおいて、袋状部の開口の一辺には、一端が固定された２本のひもが内挿されており、該２本のひもの他端を各々引っ張ることによって、前記開口が閉じることに特徴を有する。
【００１０】
また、請求項４に記載の考案は、請求項１の多目的クロスシートにおいて、袋状部と、多目的クロスシートの裏面の所定の位置とに、面ファスナー又はホックが縫い付けてあり、該面ファスナー又はホックにて前記袋状部の開口が閉じることに特徴を有する。
【００１１】
また、請求項５に記載の考案は、請求項１〜５のいずれかの多目的クロスシートにおいて、四角形状の生地の四辺には飾り柄部が設けられていることに特徴を有する。
【考案の効果】
【００１２】
請求項１に記載の考案によって、袋状部に四角形状の生地を収納することができるので、生地に水滴が付着していたり、汚れていたりしたとしても袋状部内及び畳んだ内部に水は溜まるのみで、汚れも同様に畳んだ内部に保持され、バック、かばん等の内部に水滴、汚れ等が漏れるのを防ぐことが出来る。
【００１３】
請求項２に記載の考案によって、１本のひもによって、袋状部の開口を閉じ、水滴や汚れが外部に漏れるのを確実に防ぐことができる。
【００１４】
請求項３に記載の考案によって、２本のひもによって、袋状部の開口を閉じ、水滴や汚れが外部に漏れるのを確実に防ぐことができる。
【００１５】
請求項４に記載の考案によって、面ファスナー又はホックにて、袋状部の開口を閉じ、水滴や汚れが外部に漏れるのを確実に防ぐことができる。
【００１６】
請求項５に記載の考案によって、見栄えがよくなるので、雨よけに限らず、日よけ、スカーフ、テーブルクロス、ベンチシート、レジャーシート、風呂敷等、多目的に使用することができる。
【考案を実施するための最良の形態】
【００１７】
以下に、図面を用いて本考案の実施形態を説明する。
【００１８】
図１は、本考案の第１実施形態を示す説明図である。この図に示すように、本考案に係る多目的クロスシート１０は、雨よけや、日よけ、スカーフ、テーブルクロス、風呂敷、レジャーシート等の多目的に使用されるものであり、四角形状の生地の裏面の一つの角部には、三角形状の袋状部１１が設けられている。この袋状部１１は、屋外で雨が降った時に使用して、多目的クロスシート１０の表面に水滴や汚れが付いた場合でも、防水加工が施された袋状部１１に形成された開口１６の中へ生地を折り畳んで入れることによって、水滴や汚れを袋状部１１及び畳んだ内部に収容することができるので、折り畳んで袋状部１１に収納した後に、バック、かばん等にいれてもバック、かばん等の内部が水滴や汚れで濡れるのを防ぐことができる。尚、本実施形態では、面ファスナー１２、１３を袋状部１１と、多目的クロスシート１０の裏面の所定の位置とに縫い付けてある。このような構成とすることによって、袋状部１１へ折り畳んで収納した生地が開口１６から飛び出るのを防いでいる。尚、面ファスナー１２、１３に代えて、図２に示すようなホック１４、１５を袋状部１１と、多目的クロスシート１０の裏面の所定の位置とに縫い付けて、使用することもできる。また、多目的クロスシートの大きさは、通常、一辺が５０ｃｍ〜２００ｃｍの範囲に含まれるが、目的に応じて様々な大きさに変更することができる。また、袋状部１１の大きさも、通常、二等辺三角形の二辺が各々１０ｃｍ〜５０ｃｍの範囲に含まれるものであるが、目的に応じて様々な大きさに変更することができる。また、多目的クロスシート１０の四角形状の生地には、少なくとも防水又は撥水又はＵＶ加工のいずれか１つが施されている。
【００１９】
図３は、本考案の第２実施形態を示す説明図である。図３に示す多目的クロスシート２０では、袋状部２１の開口２２に形成されたひも挿入穴２２ａに、ひも２３が挿入されている。また、ひも２３の両端は外部に突出している。このような構成とすることによって、ひも２３の両端を引っ張ることによって、袋状部２１の開口２２がすぼまり且つ、ひも２３で全体を縛りくるむことによって、袋状部２１へ折り畳んで収納した生地が飛び出るのを防いでいる。尚、他の特徴は第１実施形態と同様なので説明は省略する。
【００２０】
図４は、本考案の第３実施形態を示す説明図である。図４に示す多目的クロスシート３０では、袋状部３１の開口３２の両端３２ａ、３２ｂに、２本のひも３３、３４の各々の一端が固定されている。また、ひも３３、３４の他端は、ひも挿入穴から外部に突出している。このような構成とすることによって、ひも３３、３４の他端を引っ張ることによって、袋状部３１の開口３２がすぼまり且つ、ひも３３で全体を縛りくるむことによって、袋状部３１へ折り畳んで収納した生地が飛び出るのを防いでいる。尚、他の特徴は第１実施形態と同様なので説明は省略する。
【００２１】
図５は、本考案の第４実施形態を示す説明図である。図５に示す多目的クロスシート４０は、図４で示した多目的クロスシート３０と同様の構成を有するものである。即ち、袋状部４１の開口４２の両端４２ａ、４２ｂに、２本のひも４３、４４の各々の一端が固定されている。また、ひも４３、４４の他端はひも挿入穴から外部に突出している。このような構成とすることによって、ひも４３、４４の他端を引っ張ることによって、袋状部４１の開口４２がすぼまり且つ、ひも４３、４４で全体を縛りくるむことによって、袋状部４１へ折り畳んで収納した生地が飛び出るのを防いでいる。図４で示した多目的クロスシート３０と異なる点は、四角形状の生地の縁に、飾り柄部４５を設けた点である。この飾り柄部４５を設けることによって、見栄えを良くしている。尚、他の特徴は第１実施形態と同様なので説明は省略する。
【００２２】
図６は、本考案に係る多目的クロスシートの使用方法を示す説明図である。図６に示すように、多目的クロスシート４０は、水滴や汚れが付着した表面を上に向けて、袋状部４１を裏返して、中表４１ａとなるようにする。次に、多目的クロスシート４０の左右の生地を横方向の矢印に示すように、内側に折り曲げる。そして、縦方向の矢印が示すよに、多目的クロスシート４０の生地の下部Ｆから内側に折り畳んで、又は丸めて、袋状部４１まで到達させる。尚、上記畳み方は一例であり、本発明の多目的クロスシートは、自由に様々な畳み方を採用することができる。
【００２３】
そして、図７に示すように、水滴や汚れが付着した生地は袋状部４１内部に収容されて、２本のひも４３、４４を引っ張ることによって、開口４２がすぼまり、ひも４３と４４で全体を縛りくるむことによって、袋状部４１へ折り畳んで収納した生地が飛び出るのを防ぐと共に、この状態で、バックやかばん等に入れて持ち運んでも、バックやかばん等の内部に水滴、汚れ等が漏れるのを防ぐことが出来るのである。
【００２４】
以上説明してきたとおり、本考案に係る多目的クロスシートは、大人、子供、男、女の如何に関わらず誰でも携帯することが出来る。また、雨などで傘を広げる程の距離でもないのでちょっと面倒くさいと思ったとき、本考案に係る多目的クロスシートであれば容易に使用することが出来る。また、畳んだり、袋状部に収納すれば場所をとるものではないし、軽いのでバッグやカバンに常時あっても苦にならないし、不意の雨でも役立つ。また、人込み、例えば屋外での観戦等においても周囲をあまり気にすることなく、雨除けとして使ったり、旅行に携帯して行くと雨に関わらず便利である。
【産業上の利用可能性】
【００２５】
以上のように、本考案に係る多目的クロスシートは、雨よけ、日よけ、スカーフ、テーブルクロス、風呂敷、レジャーシート等の多目的に利用される。
【図面の簡単な説明】
【００２６】
【図１】本考案の第１実施形態を示す説明図である。
【図２】本考案に係る多目的クロスシートに使用されるホックを示す斜視図である。
【図３】本考案の第２実施形態を示す説明図である。
【図４】本考案の第３実施形態を示す説明図である。
【図５】本考案の第４実施形態を示す説明図である。
【図６】本考案に係る多目的クロスシートの使用方法を示す説明図である。
【図７】本考案に係る多目的クロスシートの使用方法を示す説明図である。
【符号の説明】
【００２７】
１０、２０、３０、４０  多目的クロスシート
１１、２１，３１、４１  袋状部
１２、１３  面ファスナー
１４、１５  ホック
１６、２２、３２、４２  開口
２２ａ  ひも挿入穴
２３、３３、３４、４３、４４  ひも
４５  飾り柄部
【図１】
0003147649.tif 000003
【図２】
0003147649.tif 000004
【図３】
0003147649.tif 000005
【図４】
0003147649.tif 000006
【図５】
0003147649.tif 000007
【図６】
0003147649.tif 000008
【図７】
0003147649.tif 000009
【手続補正書】
【提出日】平成20年10月29日(2008.10.29)
【手続補正１】
【補正対象書類名】実用新案登録請求の範囲
【補正対象項目名】請求項５
【補正方法】変更
【補正の内容】
【請求項５】
四角形状の生地の四辺には飾り柄部が設けられていることを特徴とする請求項１〜４のいずれか１項に記載の多目的クロスシート。
【手続補正２】
【補正対象書類名】明細書
【補正対象項目名】００１１
【補正方法】変更
【補正の内容】
【００１１】
また、請求項５に記載の考案は、請求項１〜４のいずれかの多目的クロスシートにおいて、四角形状の生地の四辺には飾り柄部が設けられていることに特徴を有する。